(57)【要約】【課題】帯鋸刃の回転速度を振動化することのできる帯鋸盤を提供する。【解決手段】エンドレス状の帯鋸刃１３を掛回するための駆動ホイール２９と従動ホイール３１とを回転自在に備え、かつ前記駆動ホイール２９を回転するための制御モータ３９を備えた構成の帯鋸盤であって、当該帯鋸盤の制御を行うための制御装置は、前記制御モータ３９の回転速度の制御を行うための回転速度制御手段５９と、この回転速度制御手段５９の制御の下に前記制御モータ３９を駆動するモータドライバ６１と、前記回転速度制御手段５９の制御の下に回転している前記制御モータ３９の回転速度を振動化するために、前記モータドライバ６１に対して適宜周波数のパルスを印加するためのパルス発生手段６３と、印加された前記パルスに対応して前記制御モータ３９の回転速度を瞬間的に増速，減速して前記制御モータ３９の回転速度を振動化するための前記モータドライバ６１とを備えている。【選択図】図２
2006055998.tif 000002
【特許請求の範囲】
【請求項１】
エンドレス状の帯鋸刃（１３）を掛回するための駆動ホイール（２９）と従動ホイール（３１）とを回転自在に備え、かつ前記駆動ホイール（２９）を回転するための制御モータ（３９）を備えた構成の帯鋸盤であって、当該帯鋸盤の制御を行うための制御装置は、前記制御モータ（３９）の回転速度の制御を行うための回転速度制御手段（５９）と、この回転速度制御手段（５９）の制御の下に前記制御モータ（３９）を駆動するモータドライバ（６１）と、前記回転速度制御手段（５９）の制御の下に回転している前記制御モータ（３９）の回転速度を振動化するために、前記モータドライバ（６１）に対して適宜周波数のパルスを印加するためのパルス発生手段（６３）と、印加された前記パルスに対応して前記制御モータ（３９）の回転速度を瞬間的に増速，減速して前記制御モータ（３９）の回転速度を振動化するための前記モータドライバ（６１）とを備えていることを特徴とする帯鋸盤。
【発明の詳細な説明】
【技術分野】
【０００１】
本発明は帯鋸盤に関する。
【背景技術】
【０００２】
帯鋸盤には竪型帯鋸盤と横型帯鋸盤とがあるが、理解を容易にするために、横型帯鋸盤を例示して全体的構成について概略的に説明すると、図５に示すように、横型帯鋸盤１は、ベース３を備えており、このベース３上には切断すべきワークＷを固定自在のバイス装置５が装着してある。このバイス装置５は、ワークＷを支持するバイスベッド７上に固定バイスジョー９Ａと可動バイスジョー９Ｂとを対向して備えた構成であって、前記可動バイスジョー９Ｂを作動するための油圧シリンダ１１を備えている。そして、前記ベース３上には、前記ワークＷを切断するための帯鋸刃１３を備えた鋸刃ハウジング１５が前記ワークＷに対して相対的に接近離反する方向，すなわち図示例では上下方向に移動自在に設けられている。
【０００３】
すなわち、この例においては、前記ベース３上に立設したガイドポスト１７に、前記鋸刃ハウジング１５に一体的に備えた昇降部材１９が上下動自在に案内されている。そして、前記鋸刃ハウジング１５をワークＷに対して接近離反する方向、すなわち上下方向に移動するために、切込み作動装置の一例として昇降用油圧シリンダ２１が設けられている。さらに、横型帯鋸盤１には、ワークＷに対する帯鋸刃１３の切込み位置を検出するために、前記鋸刃ハウジング１５の上下動位置を検出してワークＷに対する帯鋸刃１３の切込み位置を検出するための切込み位置検出装置２３が設けられている。
【０００４】
上記切込み位置検出装置２３は、例えばガイドポスト１７に設けた上下方向のリニアスケースと検出ヘッドの構成や、ラックに噛合したピニオンによってロータリーエンコーダを回転する構成等とすることができ、鋸刃ハウジング１５が上下方向に揺動する形式においては鋸刃ハウジングのヒンジ部にロータリーエンコーダを設ける構成とすることができるものであり、種々の構成が採用されている。
【０００５】
前記鋸刃ハウジング１５は左右方向に長いビーム部材２５の左右両側部にホイールハウジング２７Ａ，２７Ｂを備えた構成であって、一方のホイールハウジング２７Ａ内には駆動ホイール２９を回転自在に備え、他方のホイールハウジング２７Ｂ内には従動ホイール３１を回転自在に備えた構成である。そして、前記駆動ホイール２９と従動ホイール３１とに前記帯鋸刃１３を掛回した構成であって、前記両ホイールハウジング２７Ａ，２７Ｂの間には、帯鋸刃１３における歯先をワークＷの方向に指向して帯鋸刃１３を案内保持する帯鋸刃案内装置３３が設けられている。
【０００６】
上述したごとき横型帯鋸盤１の構成は公知であるので、前記構成による作用の説明は省略する。
【０００７】
前述のごとき構成において、前記駆動ホイール２９を回転駆動するためのモータ３４（図６参照）は前記ホイールハウジング２７Ａの背面に装着してあり、このモータ３４の出力軸３５と前記駆動ホイール２９の回転軸２９Ａとの間には、図６に示すように、例えば遊星歯車機構又はウォームギア機構よりなる減速機構３７を備えた構成である（例えば特許文献１参照）。
【０００８】
そして、従来は、切削率（単位時間当りの切削面積）を一定に保持してワークの切断を行うべく、ワークの切削長に対応してワークに対する帯鋸刃の切込み速度を制御したり、ワークの切断加工中の共振等による騒音を低減するために帯鋸刃の走行速度をインバータにより周期的に制御することも行われている（例えば特許文献２参照）。
【特許文献１】特開平１１−１０４９１５号公報
【特許文献２】特開平８−１９７３３０号公報
【発明の開示】
【発明が解決しようとする課題】
【０００９】
従来のごとく、モータと駆動ホイールとの間に減速機構を介在した構成においては、構成部品が多くなって構成が複雑になると共に比較的頻繁にメンテナンスが必要であるという問題があり、さらに慣性モーメントが大きくなって鋸速制御をミクロ的に制御することは難しいという問題がある。
【００１０】
また、従来は、帯鋸刃によるワークの切断中に鋸速の制御が行われているが、従来は鋸速を周期的に制御するものであり、例えば振動切削を行うがごとく鋸速を振動化することは難しいものであった。
【課題を解決するための手段】
【００１１】
本発明は前述のごとき従来の問題に鑑みてなされたもので、エンドレス状の帯鋸刃を掛回するための駆動ホイールと従動ホイールとを回転自在に備え、かつ前記駆動ホイールを回転するための制御モータを備えた構成の帯鋸盤であって、当該帯鋸盤の制御を行うための制御装置は、前記制御モータの回転速度の制御を行うための回転速度制御手段と、この回転速度制御手段の制御の下に前記制御モータを駆動するモータドライバと、前記回転速度制御手段の制御の下に回転している前記制御モータの回転速度を振動化するために、前記モータドライバに対して適宜周波数のパルスを印加するためのパルス発生手段と、印加された前記パルスに対応して前記制御モータの回転速度を瞬間的に増速，減速して前記制御モータの回転速度を振動化するための前記モータドライバとを備えていることを特徴とする帯鋸盤。
【発明の効果】
【００１２】
前述のごとき本発明によれば、帯鋸刃の走行速度を振動化してワークの切断加工を行うことができ、振動切削による切断加工となるものであり、加工硬化を生じ易いワークの切断加工をも容易に行うことができるものである。
【発明を実施するための最良の形態】
【００１３】
以下、図面を用いて本発明の実施の形態について説明するに、帯鋸盤の全体的構成は前述したごとき従来の構成と同様であるので、その構成の相違点について説明することとする。
【００１４】
本実施形態においては、駆動ホイール２９を回転駆動するためのモータとしてサーボモータ等のごとき制御モータ３９を採用し、この制御モータ３９の出力軸４１と前記駆動ホイール２９は直結してある。
【００１５】
より詳細には、図１に示すように、制御モータ３９は、鋸刃ハウジング１５に取付けたモータベース４３にボルト等の取付具を介して取付けてあり、このモータベース４３に備えた円筒状の軸受部４５内に前記出力軸４１が配置してある。そして、前記軸受部４５には、外周に配置した軸受４７を介して前記駆動ホイール２９が回転自在に支持されており、この駆動ホイール２９に一体的に備えたホイールキャップ４９と前記出力軸４１とが複数のボルト等のごとき連結固定具を介して一体的に連結してある。
【００１６】
上記構成により、制御モータ３９を回転駆動すると、出力軸４１と一体的に直結した駆動ホイール２９が一体に回転され、駆動ホイール２９と従動ホイール３１とに掛回した帯鋸刃１３が走行駆動されて、ワークＷの切断加工（切削加工）が行われるものである。そして、ワークＷの切断加工時におけるラジアル方向の負荷は、モータベース４３における軸受部４５によって受けるので、制御モータ３９における出力軸４１にはラジアル方向の負荷は作用せず、常に円滑な回転が行われるものである。
【００１７】
前記帯鋸盤１の制御を行うために、ＣＮＣ装置のごとき制御装置５１が備えられている。この制御装置５１は、図２に主要部のみを概念的、概略的に示すように、ワークＷに対する帯鋸刃１３の切込み位置を検出するための切込み位置検出手段としての前記切込み位置検出装置２３によって検出した検出位置と予め入力してあるワークＷの形状，寸法に基いてワークＷの切削長を演算する切削長演算手段５３を備えている。
【００１８】
さらに前記制御装置５１には、前記切削長演算手段５３の演算結果に基いて帯鋸刃１３の走行速度を演算する鋸速演算手段５５が備えられている。この鋸速演算手段５５は、ワークＷの材質に対応して切削長と鋸速との関係を予めデータ化して格納してある鋸速データテーブル５７から、ワークＷの材質，切削長に応じて適切な鋸速を検索するものである。
【００１９】
さらにまた、前記制御装置５１には、前記鋸速演算手段５５の演算結果に基いて前記制御モータ３９の回転速度を制御するための回転速度制御手段５９が備えられており、この回転速度制御手段５９の制御の下にモータドライバ６１を介して制御モータ３９の回転速度が制御されるものである。そして、前記制御モータ３９の回転速度を振動化するために、前記モータドライバ６１に対してパルスの一例としての矩形パルスを印加するためのパルス発生手段の一例としての矩形パルス発生手段６３が備えられている。
【００２０】
上記矩形パルス発生手段６３は、例えば前記回転速度制御手段５９の制御の下に一定の回転速度で回転している制御モータ３９の回転速度を振動化し、一定の速度で走行している帯鋸刃１３が、帯鋸刃１３の走行方向（進行方向）に振動するように、帯鋸刃１３の速度を振動化するものでる。換言すれば、例えば一定速度で走行している帯鋸刃１３があたかも振動切削を行っているように鋸速を瞬間的に変動するものである。
【００２１】
さらに、前記制御装置５１には、切込み作動装置の一例としての前記昇降用油圧シリンダ２１の作動を制御して、ワークＷに対する帯鋸刃１３の切込み速度を制御するための切込み速度制御手段６５が備えられている。上記切込み速度制御手段６５は、切込み作動装置が流体圧シリンダよりなる場合には流量制御弁を備えてなるものであり、切込み作動装置が例えばサーボモータによって回転されるボールネジ等よりなる場合には当該サーボモータの回転速度制御を行う回転速度制御手段を備えてなるものである。
【００２２】
上記構成により、制御モータ３９を回転駆動すると共に切込み作動装置２１を作動してワークＷの切断加工を開始すると、切込み位置検出手段２３によってワークＷに対する帯鋸刃１３の切込み位置が検知できるので、従来の一般的な帯鋸盤と同様に、帯鋸刃１３がワークＷに近接するまでは高速で切込み（空切削）が行われ、ワークＷに帯鋸刃１３が近接すると、切込み速度が低速に制御され、この低速の切込み速度でもってワークＷに対して帯鋸刃１３の切削が行われる。
【００２３】
この際、帯鋸刃１３がワークＷに接触して僅かに切込むまでの切削開始初期は、回転速度制御手段５９の制御の下に帯鋸刃１３の走行速度は低速に制御されるものである。すなわち、ワークＷに対する帯鋸刃１３の切込み開始時には、切込み速度及び鋸速は鋸歯に急激に大きな負荷が作用して歯欠けを生じないように低速に制御されているものである。また、帯鋸刃１３によるワークＷの切断の終期には、バリの発生を抑制するために、帯鋸刃１３の走行速度及びワークに対する切込み速度は低速に制御されるものである。
【００２４】
ワークＷに対する帯鋸刃１３の切込み位置が切込み位置検出手段２３によって検出され、この検出された切込み位置によってワークＷの切削長が切削長演算手段５３によって演算される。そして、その演算結果に基いて鋸速演算手段５５によって切削長に対応した鋸速が演算され、回転速度制御手段５９の制御の下に、ワークＷの切削長に対応した鋸速に制御されるものである。
【００２５】
上述のごとく、回転速度制御手段５９の制御の下にモータドライバ６１を介して制御モータ３９の回転速度を制御し、帯鋸刃１３を走行してワークＷの切断を行うとき、矩形パルス発生手段６３から矩形パルスを発生してモータドライバ６１に印加すると、制御モータ３９の回転速度は振動化されるものである。
【００２６】
すなわち、制御モータ３９が例えば図３（Ａ）に示すように、一定速度で回転している状態にあるとき、前記矩形パルス発生装置６３から図３（Ｂ），図３（Ｄ）に示すように、立上りが急峻な矩形パルスをモータドライバ６１に印加すると、制御モータ３９の回転速度は、図３（Ｃ），図３（Ｅ）に示されるように、瞬間的に増速される。逆に立下りが急峻な矩形パルスをモータドライバ６１に印加すると、制御モータ３９の回転速度は瞬間的に減速されるものである。したがって、前記矩形パルス発生手段６３からモータドライバ６１へ矩形パルスを印加すると、前記制御モータ３９の回転速度を振動化することができ、帯鋸刃１３の走行速度を振動化することができるものである。
【００２７】
すなわち、帯鋸刃１３によってワークＷの切削を行うとき、帯鋸刃１３は走行方向（移動方向）に振動し、あたかも振動切削を行う態様となるものである。したがって、帯鋸刃１３が瞬間的に増速されるとき、急激に勢いよく移動される態様となり、ワークＷの切削を能率良く行うことができるものである。
【００２８】
なお、印加するパルスとしては＋側のパルスのみ、又は−側のパルスのみであっても良く、また、立上り、立下りが急峻な波形であれば、矩形パルスに限ることなく、図５に示すごとく、矩形パルスの角度がだれた状態に近似の正弦波パルスとすることも可能である。
【００２９】
ところで、一般的な工作機械において、回転しているワークに対して切削工具を移動してワークの振動切削を行う場合、前記切削工具に数ｋＨｚの高周波を印加して切削工具の微小振動を行うものである。帯鋸盤において帯鋸刃１３の走行速度を振動化する場合、帯鋸刃１３を回転駆動するための制御モータ３９の回転速度を振動化する必要がある。
【００３０】
ところが、帯鋸盤において帯鋸刃１３を掛回した駆動ホイール２９の重量は大きく慣性が大きいので、前述したごとき高周波のパルスをモータドライバ６１に印加しても、制御モータ３９の回転速度を目的に沿って振動化することはできないものである。そこで、制御モータ３９の回転速度を振動化して帯鋸刃１３の走行速度を振動化するには、数Ｈｚ〜数百Ｈｚ、望ましくは１００Ｈｚ前後の低周波であり、かつ立上り、立下りが明確な矩形パルスをモータドライバ６１に印加することが望ましいものである。
【００３１】
すなわち、矩形パルス発生手段６３から低周波の矩形パルスをモータドライバ６１に印加することにより、制御モータ３９の回転速度，帯鋸刃１３の走行速度を振動化することができるものである。
【００３２】
前述のごとく、矩形パルス発生手段６３からモータドライバ６１へ矩形パルスを印加し、帯鋸刃１３の走行速度を振動化してワークＷの切削を行っているとき、前記矩形パルス発生手段６３から矩形パルスが印加される際の矩形パルスの立上り時には鋸速が瞬間的に急激に増速され、矩形パルスの立下り時には鋸速は急激に瞬間的に減速されるものである。
【００３３】
したがって、前記矩形パルス発生手段６３からモータドライバ６１へ印加される矩形パルスの立下り時に切込み速度制御手段６５によって切込み作動装置２１を制御して、ワークＷに対する帯鋸刃１３の切込み速度を瞬間的に急激に大きくすると、ワークＷに対する帯鋸刃１３における鋸歯の喰い込みが良好に行われるものである。
【００３４】
すなわち、帯鋸刃１３を走行方向に振動すると共に、ワークＷに対する帯鋸刃１３の切込み速度をも振動化することが望ましいものである。この場合、帯鋸刃１３の走行速度が低速になったときにワークＷに対する帯鋸刃１３の切込み速度を急激に増速することにより、ワークＷに対する鋸歯の喰い込みが効果的に行われるものである。この際、ワークＷに加工硬化層が生じている場合であっても、鋸歯の先端は上記加工硬化層を破ってワークＷに深く喰い込むことになるので、加工硬化層を生じ易いワークであっても容易に切削することができるものである。
【００３５】
さらに、ワークに対する鋸歯の喰い込み性が向上することにより、帯鋸刃がワークＷと擦れ合うことによる騒音発生を抑制でき、従来よりも静かにワークの切断加工を行うことができると共に切断面をより良好に切断し得るものである。
【００３６】
上記説明より理解されるように、帯鋸盤において駆動ホイール２９を回転するためのモータとして制御モータ３９を採用し、この制御モータ３９の出力軸４１と前記駆動ホイール２９とを直結した構成であるから、構成が簡単であると共に、回転系の慣性モーメントが小さくなり、帯鋸刃１３の走行速度の制御性が向上し、帯鋸刃１３の走行速度の振動化が容易なものである。
【００３７】
なお、本発明は前述のごとき実施形態のみに限るものではなく、適宜の変更を行うことにより、その他の態様で実施可能なものである。例えば、駆動ホイール２９のみならず従動ホイール３１も別個の制御モータに直結し、駆動ホイール２９及び従動ホイール３１をそれぞれ別個の制御モータによって駆動する構成とすることも可能である。
【００３８】
上述のごとき構成とすることにより、制御モータをより小型化することができ、慣性モーメントがより小さくなって制御性がより向上するものである。この場合、両方の制御モータを同期して制御する構成であっても、一方の制御モータにのみ矩形パルスを印加する構成であっても良いものである。
【００３９】
なお、前記説明においては、帯鋸盤として横型帯鋸盤を例示したが、竪型帯鋸盤においても同様に実施し得るものである。
【図面の簡単な説明】
【００４０】
【図１】本発明の実施の形態に係る帯鋸盤の主要部分の構成を示す断面説明図である。
【図２】帯鋸刃の鋸速を制御する主要部分の構成を概念的に示したブロック図である。
【図３】制御モータの回転速度を振動化する場合の説明図である。
【図４】印加するパルスの第２例を示す説明図である。
【図５】帯鋸盤の一例としての横型帯鋸盤の全体的構成を示す正面説明図である。
【図６】従来の駆動系の一例を示した断面説明図である。
【符号の説明】
【００４１】
１    帯鋸盤
１３    帯鋸刃
１５    鋸刃ハウジング
２１    切込み作動装置
２３    切込み位置検出装置
２９    駆動ホイール
３１    従動ホイール
３９    制御モータ
４１    出力軸
４３    モータベース
４５    軸受部
４９    ホイールキャップ
５１    制御装置
５３    切削長演算手段
５５    鋸速演算手段
５７    鋸速データテーブル
５９    回転速度制御手段
６１    モータドライバ
６３    矩形パルス発生手段
６５    切込み速度制御手段
【図１】
2006055998.tif 000003
【図２】
2006055998.tif 000004
【図３】
2006055998.tif 000005
【図４】
2006055998.tif 000006
【図５】
2006055998.tif 000007
【図６】
2006055998.tif 000008